(57)【要約】【課題】適切な医療行為を患者に施すことができる。【解決手段】本実施例に係る治験情報出力装置１００は、第１出力部１５２と第２出力部１５３とを有する。第１出力部１５２は、患者の搬送される医療機関に設置された端末装置から患者情報を取得し、患者情報を基にして、患者が治験中である場合には、治験薬の副作用の情報を端末装置に通知する。第２出力部１５３は、患者の症状と副作用の症状とが合致する場合に、副作用に対応する対処法の情報を端末装置に通知する。【選択図】図２
2014219945.tif 000002
【特許請求の範囲】
【請求項１】
患者と、該患者が行う治験についての治験薬の副作用の症状と、該副作用への対処方法とを関連付けて記憶する記憶部と、
ある患者の症状を受けつけると、前記記憶部に記憶されている該ある患者に関連付けられた治験薬の副作用の症状に合致する場合に、該ある患者に関連付けられた副作用への対処方法を前記記憶部から読み出して出力する制御部と
を有することを特徴とする治験情報出力装置。
【請求項２】
前記記憶部は、前記副作用の症状が患者に表れる期間を更に関連付けて記憶し、
前記制御部は、前記記憶部に記憶されている該ある患者に関連付けられた治験薬の副作用の症状に合致し、かつ、前記副作用の症状が患者に現れる期限を経過していない場合に、該ある患者に関連付けられた副作用への対処方法を前記記憶部から読み出して出力することを特徴とする請求項１に記載の治験情報出力装置。
【請求項３】
前記制御部は、前記記憶部に記憶されている該ある患者に関連付けられた治験薬の副作用の症状に合致しない場合に、前記ある患者の症状を受け付け、前記ある患者の症状を指定の外部装置に出力することを特徴とする請求項１または２に記載の治験情報出力装置。
【請求項４】
コンピュータが実行する治験情報出力方法であって、
患者と、該患者が行う治験についての治験薬の副作用の症状と、該副作用への対処方法とを関連付けて記憶する記憶装置を参照し、
ある患者の症状を受けつけると、前記記憶装置に記憶されている該ある患者に関連付けられた治験薬の副作用の症状に合致する場合に、該ある患者に関連付けられた副作用への対処方法を前記記憶装置から読み出して出力する
各処理を実行することを特徴とする治験情報出力方法。
【請求項５】
コンピュータに、
患者と、該患者が行う治験についての治験薬の副作用の症状と、該副作用への対処方法とを関連付けて記憶する記憶装置を参照し、
ある患者の症状を受けつけると、前記記憶装置に記憶されている該ある患者に関連付けられた治験薬の副作用の症状に合致する場合に、該ある患者に関連付けられた副作用への対処方法を前記記憶装置から読み出して出力する
各処理を実行させることを特徴とする治験情報出力プログラム。
【発明の詳細な説明】
【技術分野】
【０００１】
本発明は、治験情報出力装置等に関する。
【背景技術】
【０００２】
治験は、製薬会社が開発した新しい薬を元に、複数の医療機関の医師を通じて、当該医療機関の患者の同意を得たうえで、治験の対象として好ましいと思われる患者に服用させることが一般的である。
【０００３】
例えば、治験は、治験責任医師および治験担当医師のチームで推進されるが、被験者に有害事象が発生した場合には、救急搬送されることが想定される。この際、治験を実施している医療機関に被験者が搬送される可能性は低く、治験実施を行う医療機関以外に被験者が搬送される場合がある。
【先行技術文献】
【特許文献】
【０００４】
【特許文献１】特開２００６−１５８４９０号公報
【特許文献２】特開２００６−１０７３２１号公報
【発明の概要】
【発明が解決しようとする課題】
【０００５】
しかしながら、上述した従来技術では、適切な医療行為を患者に施すことができないという問題がある。
【０００６】
例えば、治験実施を行う医療機関以外に患者が搬送された場合に、搬送された医療機関の当直医師は、患者が治験を実施している事実を知らないまま医療行為を行う場合があり、適切な治療を行えるとは言い難い。
【０００７】
１つの側面では、適切な医療行為を患者に施すことができる治験情報出力装置、治験情報出力方法および治験情報出力プログラムを提供することを目的とする。
【課題を解決するための手段】
【０００８】
第１の案では、記憶部と、制御部とを有する。記憶部は、患者と、該患者が行う治験についての治験薬の副作用の症状と、該副作用への対処方法とを関連付けて記憶する。制御部は、ある患者の症状を受けつけると、記憶部に記憶されている該ある患者に関連付けられた治験薬の副作用の症状に合致する場合に、該ある患者に関連付けられた副作用への対処方法を記憶部から読み出して出力する。
【発明の効果】
【０００９】
本発明の１実施態様によれば、適切な医療行為を患者に施すことができるという効果を奏する。
【図面の簡単な説明】
【００１０】
【図１】図１は、本実施例に係るシステムの構成を示す図である。
【図２】図２は、本実施例に係る治験情報出力装置の構成を示す機能ブロック図である。
【図３】図３は、電子カルテ情報テーブルのデータ構造の一例を示す図である。
【図４】図４は、治験患者テーブルのデータ構造の一例を示す図である。
【図５】図５は、副作用テーブルのデータ構造の一例を示す図である。
【図６】図６は、患者の症状の情報の一例を示す図である。
【図７】図７は、本実施例に係る治験情報出力装置の処理手順を示すフローチャートである。
【図８】図８は、治験情報出力プログラムを実行するコンピュータの一例を示す図である。
【発明を実施するための形態】
【００１１】
以下に、本願の開示する治験情報出力装置、治験情報出力方法および治験情報出力プログラムの実施例を図面に基づいて詳細に説明する。なお、この実施例によりこの発明が限定されるものではない。
【実施例】
【００１２】
本実施例に係るシステムの構成について説明する。図１は、本実施例に係るシステムの構成を示す図である。図１に示すように、このシステムは、治験情報出力装置１００と、端末装置１０ａ，１０ｂ，１０ｃを有する。治験情報出力装置１００および端末装置１０ａ，１０ｂ，１０ｃは、ネットワーク５０を介して、相互に接続される。ここでは説明を省略するが、このシステムは、その他の端末装置を含んでも良い。
【００１３】
治験情報出力装置１００は、治験中の患者に関する情報を記憶し、治験中の患者に投与される治験薬の副作用の症状や、治験薬の副作用の対処方法の情報を出力する装置である。
【００１４】
端末装置１０ａ，１０ｂ，１０ｃは各種の利用者が利用する端末装置である。例えば、端末装置１０ａは、治験を実施する医療機関に設置された端末装置である。例えば、治験責任医師および治験担当医師が、端末装置１０ａを利用する。
【００１５】
例えば、端末装置１０ｂは、通常の医療機関に設置された端末装置である。例えば、治験以外の医療行為を行う医師が、端末装置１０ｂを利用する。
【００１６】
例えば、端末装置１０ｃは、緊急搬送を受け入れる医療機関に設置された端末装置である。例えば、緊急医療を行う医師が、端末装置１０ｃを利用する。端末装置１０ｃは、例えば、患者を受け入れた場合に、患者を一意に識別する患者ＩＤを含む患者情報を治験情報出力装置１００に送信する。
【００１７】
患者が治験中であれば、端末装置１０ｃは、治験による副作用の症状の情報を治験情報出力装置１００から受信し、この副作用の症状の情報を、表示装置に表示する。担当医師は、副作用の症状と、患者の症状とを比較して、副作用の症状と患者の症状とが合致するかを判断する。担当医師は、副作用の症状と患者の症状とが合致する否かの応答情報を、端末装置１０ｃに入力し、端末装置１０ｃは、応答情報を治験情報出力装置１００に送信する。応答情報には、患者ＩＤが含まれる。副作用の症状と患者の症状とが合致していない場合には、担当医師は、患者の症状に関する情報を応答情報に含める。
【００１８】
副作用の症状と患者の症状とが合致している場合には、端末装置１０ｃは、副作用の症状に対応する対処法の情報を治験情報出力装置１００から受信し、この対処法の情報を、表示装置に表示する。担当医師は、かかる対処法の情報を参考にして、患者に治療を施す。
【００１９】
次に、図１に示した治験情報出力装置１００の構成について説明する。図２は、本実施例に係る治験情報出力装置の構成を示す機能ブロック図である。図２に示すように、この治験情報出力装置１００は、通信部１１０、入力部１２０、表示部１３０、記憶部１４０、制御部１５０を有する。
【００２０】
通信部１１０は、ネットワーク５０を介して端末装置１０ａ，１０ｂ，１０ｃや他の外部装置等とデータ通信を実行する処理部である。後述する制御部１５０は、通信部１１０を介して、端末装置１０ａ，１０ｂ，１０ｃや他の外部装置等とデータをやり取りする。通信部１１０は、通信装置に対応する。
【００２１】
入力部１２０は、治験情報出力装置１００の利用者が、各種の情報を治験情報出力装置１００に入力するための入力装置である。例えば、入力装置は、キーボードやマウス、タッチパネル等に対応する。
【００２２】
表示部１３０は、制御部１５０から出力される情報を表示する表示装置である。例えば、表示装置は、液晶モニタやタッチパネル等に対応する。
【００２３】
記憶部１４０は、電子カルテ情報テーブル１４１、治験患者テーブル１４２、副作用テーブル１４３を有する。記憶部１４０は、ＲＡＭ（Random  Access  Memory）、ＲＯＭ（Read  Only  Memory）、フラッシュメモリ（Flash  Memory）などの半導体メモリ素子に対応する。記憶部１４０は、ハードディスク、光ディスクなどの記憶装置に対応する。
【００２４】
電子カルテ情報テーブル１４１は、患者毎にカルテ情報を保持するテーブルである。図３は、電子カルテ情報テーブルのデータ構造の一例を示す図である。図３に示すように、この電子カルテ情報テーブル１４１は、診療医療機関、患者ＩＤ（identification）、患者名、年齢、性別、病名、服用薬名、治験の状態、治験医療機関、治験責任医師、緊急連絡先、治験薬品名、更新日をそれぞれ関連付ける。
【００２５】
図３において、診療医療機関は、診療医療機関を一意に識別する情報である。患者ＩＤは、患者を一意に識別する情報である。患者名、年齢、性別はそれぞれ、患者の名前、患者の年齢、患者の性別である。病名は患者が患っている病気の名称である。服用薬名は、患者が服用している薬を一意に識別する情報である。この服用薬名は、治験薬に対応するものではない。
【００２６】
図３において、治験の状態は、患者が治験中であるか否かを示す情報である。治験の状態が「有り」の場合には、患者は治験中である。なお、本実施例では一例として、治験を過去に受けたことがあり、現在は治験中でない場合にも、治験の状態は「有り」となる。
【００２７】
図３において、治験の状態が「無し」の場合には、患者は治験中ではなく、患者は、過去に治験を受けたことがないものとする。治験医療機関は、治験医療機関を一意に識別する情報である。治験責任医師は、治験の責任を担う医師を一意に識別する情報である。緊急連絡先は、例えば、治験責任医師の連絡先を示す情報である。緊急連絡先は、電子メールのアドレスでも良い。治験薬品名は、治験薬を一意に識別する情報である。更新日は、該当するレコードを更新した日付を示す情報である。
【００２８】
例えば、図３に示した電子カルテ情報テーブル１４１のうち、病名、服用薬名等に関する情報は、端末装置１０ｂを操作する通常の医師によって登録される。また、電子カルテ情報テーブル１４１のうち、治験の状態、治験医療機関、治験責任医師、緊急連絡先、治験薬品名等に関する情報は、端末装置１０ｂを操作する治験責任医師または治験担当医師によって登録される。
【００２９】
治験患者テーブル１４２は、治験を受ける患者の情報を保持するテーブルである。図４は、治験患者テーブルのデータ構造の一例を示す図である。図４に示すように、この治験患者テーブル１４２は、患者ＩＤ、治験医療機関、投薬開始日、投薬完了日、状態、期間をそれぞれ関連付ける。患者ＩＤ、治験医療機関に関する説明は、図３の電子カルテ情報テーブル１４１の患者ＩＤおよび治験医療機関に関する説明と同様である。
【００３０】
図４において、投薬開始日は、治験薬の投薬を開始した日付を示す。投薬完了日は、治験薬の投薬を完了した日付を示す。状態は治験中であるか、治験が完了したかを示す情報である。例えば、治験中であれば、状態は「治験中」となる。治験が完了している場合には、状態は「治験完了」となる。期間は、治験が完了してから、副作用の症状が発生する可能性がある期間を示す情報である。例えば、期間が「治験完了後、５ヶ月」の場合には、治験が完了してから、副作用の症状が発生する可能性のある期間が、治験完了後、５ヶ月となる。例えば、図４に示した治験患者テーブル１４２の情報は、端末装置１０ｂを操作する治験責任医師または治験担当医師によって登録される。
【００３１】
副作用テーブル１４３は、治験薬によって発生する可能性のある副作用の情報を保持するテーブルである。図５は、副作用テーブルのデータ構造の一例を示す図である。図５に示すように、この副作用テーブル１４３は、治験薬品名、製薬会社名、緊急連絡先、副作用の症状、対処法、報告日をそれぞれ対応づける。治験薬品名は、治験薬を一意に識別する情報である。製薬会社名は、製薬会社の名称である。緊急連絡先は、例えば、製薬会社の連絡先である。副作用の症状は、治験薬の副作用の症状を示す情報である。対処法は、副作用の対処法を示す情報である。報告日は、副作用の症状および対処法が報告された日付を示す。図５に示した副作用テーブル１４３の情報は、端末装置１０ｂを操作する治験責任医師または治験担当医師によって登録される。
【００３２】
制御部１５０は、データ管理部１５１、第１出力部１５２、第２出力部１５３を有する。例えば、制御部１５０は、ＡＳＩＣ（Application  Specific  Integrated  Circuit）や、ＦＰＧＡ（Field  Programmable  Gate  Array）などの集積装置に対応する。また、制御部１５０は、例えば、ＣＰＵやＭＰＵ（Micro  Processing  Unit）等の電子回路に対応する。
【００３３】
データ管理部１５１は、端末装置１０ａ，１０ｂから、電子カルテ情報テーブル１４１、治験患者テーブル１４２、副作用テーブル１４３に関する情報を取得し、各テーブル１４１，１４２，１４３の情報を更新する処理部である。データ管理部１５１は、周知技術を利用して、端末装置１０ａ，１０ｂに対して認証を行った後に、各テーブル１４１、１４２，１４３の情報を更新する。
【００３４】
第１出力部１５２は、治験の副作用の情報を端末装置１０ｃに出力する処理部である。以下において、第１出力部１５２の処理を具体的に説明する。
【００３５】
第１出力部１５２は、端末装置１０ｃから患者情報を受信する。この患者情報は、例えば、ある医療機関に緊急搬送された患者情報の患者ＩＤを含む情報である。第１出力部１５２は、患者情報と、電子カルテ情報テーブル１４１とを比較して、患者情報の患者ＩＤに対応する治験の状態が「有り」であるか否かを判定する。
【００３６】
第１出力部１５２は、治験の状態が「有り」である場合には、患者情報の患者ＩＤをキーにして、電子カルテ情報テーブル１４１から治験薬品名を特定する。第１出力部１５２は、特定した治験薬品名をキーにして、治験薬の副作用の症状の情報を、副作用テーブル１４３から検出する。第１出力部１５２は、検出した副作用の症状の情報を、端末装置１０ｃに送信する。なお、第１出力部１５２は、治験の状態が「無し」である場合には、治験の副作用の情報を送信する処理を行わない。
【００３７】
ところで、第１出力部１５２は、治験の状態が「有り」である場合に、治験患者テーブル１４２を更に利用して、治験の副作用の情報を端末装置１０ｃに送信するか否かを判定しても良い。第１出力部１５２は、患者情報の患者ＩＤと、治験患者テーブル１４２とを基にして、治験患者テーブル１４２の状態が「治験中」である場合には、副作用の症状の情報を端末装置１０ｃに送信する。
【００３８】
一方、第１出力部１５２は、患者情報の患者ＩＤと、治験患者テーブル１４２とを基にして、治験患者テーブル１４２の状態が「治験完了」である場合には、治験患者テーブル１４２の「期間」を満たすか否かを判定する。図４を用いて説明する。一例として、患者ＩＤを「１００１」とする。例えば、患者ＩＤ「１００１」について、現在の日付が「投薬完了日」から「６ヶ月」以内であれば、第１出力部１５２は、治験患者テーブル１４２の「期間」を満たすと判定する。これに対して、現在の日付が「投薬完了日」から「６ヶ月」以内でなければ、第１出力部１５２は、治験患者テーブル１４２の「期間」を満たさないと判定する。
【００３９】
第１出力部１５２は、治験患者テーブル１４２の「期間」を満たすと判定した場合には、治験の副作用の情報を端末装置１０ｃに送信する。一方、第１出力部１５２は、治験患者テーブル１４２の「期間」を満たさないと判定した場合には、治験の副作用の情報を端末装置１０ｃに送信しない。
【００４０】
第２出力部１５３は、副作用の対処法の情報を端末装置１０ｃに出力する処理部である。以下において、第２出力部１５３の処理を具体的に説明する。
【００４１】
第２出力部１５３は、第１出力部１５２が出力した副作用の症状と、患者の症状とが合致するか否かの情報を含む応答情報を端末装置１０ｃから受け付ける。以下において、副作用の症状と患者の症状とが合致する旨の情報を受け付けた場合の処理と、合致しない旨の情報を受け付けた場合の処理とを順に説明する。なお、応答情報は、患者ＩＤを含む。
【００４２】
第２出力部１５３が、副作用の症状と患者の症状とが合致した旨の情報を受け付けた場合の処理について説明する。第２出力部１５３は、応答情報の患者ＩＤと、電子カルテ情報テーブル１４１とを基にして、患者に投薬されている治験薬名を特定する。第２出力部１５３は、特定した治験薬品名をキーにして、治験薬による副作用の対処法の情報を検出する。第２出力部１５３は、検出した副作用の対処法の情報を、端末装置１０ｃに送信する。
【００４３】
第２出力部１５３が、副作用の症状と患者の症状とが合致しない旨の情報を受け付けた場合の処理について説明する。第２出力部１５３は、応答情報に含まれる患者の症状に関する情報を治験責任医師が利用する端末装置１０ａに送信する。例えば、第２出力部１５３は、応答情報の患者ＩＤと、電子カルテ情報テーブル１４１とを比較して、治験責任医師を判定し、該治験責任医師宛に、患者の症状の情報を通知する。図６は、患者の症状の情報の一例を示す図である。
【００４４】
次に、本実施例に係る治験情報出力装置１００の処理手順について説明する。図７は、本実施例に係る治験情報出力装置の処理手順を示すフローチャートである。例えば、図７に示す処理は、端末装置１０ｃから患者情報を受信したことを契機にして実行される。
【００４５】
図７に示すように、治験情報出力装置１００は、患者情報を端末装置１０ｃから受信し（ステップＳ１０１）、電子カルテ情報テーブル１４１と患者情報とを基にして、患者の治験の状態が「有り」であるか否かを判定する（ステップＳ１０２）。治験情報出力装置１００は、患者の治験の状態が「無し」の場合には（ステップＳ１０３，Ｎｏ）、処理を終了する。
【００４６】
一方、治験情報出力装置１００は、患者の治験の状態が「有り」の場合には（ステップＳ１０３，Ｙｅｓ）、副作用テーブル１４３から、患者情報に対応する副作用の症状に関する情報を端末装置１０ｃに送信する（ステップＳ１０４）。
【００４７】
治験情報出力装置１００は、副作用の症状が一致する旨の情報を取得したか否かを判定する（ステップＳ１０５）。治験情報出力装置１００は、副作用の症状が一致しない旨の情報を受信した場合には（ステップＳ１０５，Ｎｏ）、端末装置１０ａに対して、患者の症状を通知する（ステップＳ１０７）。
【００４８】
一方、治験情報出力装置１００は、副作用の症状が一致する旨の情報を取得した場合には（ステップＳ１０５，Ｙｅｓ）、副作用テーブル１４３から、患者情報に対応する副作用の症状に対応する対処法の情報を、端末装置１０ｃに送信する（ステップＳ１０６）。
【００４９】
なお、治験情報出力装置１００は、ステップＳ１０３において、治験の状態が「有り」である場合に、治験患者テーブル１４２を更に利用して、治験の副作用の情報を端末装置１０ｃに送信するか否かを判定しても良い。
【００５０】
次に、本実施例に係る治験情報出力装置１００の効果について説明する。本実施例に係る治験情報出力装置１００は、治験中の患者に投与されている治験薬の副作用の症状と患者の症状とが合致する場合に、治験薬に対応付けられる副作用の対処方法の情報を端末装置１０ｃに出力する。このため、治験情報出力装置１００によれば、担当医師が適切な治療を患者に施すことが可能となる。
【００５１】
また、治験情報出力装置１００は、患者が治験中である場合に、治験薬による副作用の症状が患者に表れる期限を更に鑑みて、副作用の情報を端末装置１０ｃに送信する。このため、治験薬による副作用の情報が表れない期間に、副作用の情報を担当医師に連絡してしまうことを防止することができる。
【００５２】
また、治験情報出力装置１００は、治験薬の副作用の症状と患者の症状とが合致しない旨の情報を受け付けた場合に、患者の症状を端末装置１０ａに送信する。このため、治験薬に関する未発見の副作用の可能性のある症状の情報を、治験責任医師等に通知することができる。
【００５３】
次に、上記の実施例に示した治験情報出力装置と同様の機能を実現する治験情報出力プログラムを実行するコンピュータの一例を説明する。図８は、治験情報出力プログラムを実行するコンピュータの一例を示す図である。
【００５４】
図８に示すように、コンピュータ２００は、各種演算処理を実行するＣＰＵ２０１と、ユーザからのデータの入力を受け付ける入力装置２０２と、ディスプレイ２０３を有する。また、コンピュータ２００は、記憶媒体からプログラム等を読取る読み取り装置２０４と、ネットワークを介して他のコンピュータとの間でデータの授受を行うインターフェース装置２０５とを有する。また、コンピュータ２００は、各種情報を一時記憶するＲＡＭ２０６と、ハードディスク装置２０７を有する。そして、各装置２０１〜２０７は、バス２０８に接続される。
【００５５】
ハードディスク装置２０７は、第１出力プログラム２０７ａおよび第２出力プログラム２０７ｂを有する。ＣＰＵ２０１は、各プログラム２０７ａ，２０７ｂを読み出してＲＡＭ２０６に展開する。
【００５６】
第１出力プログラム２０７ａは、第１出力プロセス２０６ａとして機能する。第２出力プログラム２０７ｂは、第２出力プロセス２０６ｂとして機能する。
【００５７】
例えば、第１出力プロセス２０６ａは、第１出力部１５２に対応する。第２出力プロセス２０６ｂは、第２出力部１５３に対応する。
【００５８】
なお、各プログラム２０７ａ，２０７ｂについては、必ずしも最初からハードディスク装置２０７に記憶させておかなくてもよい。例えば、コンピュータ２００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ２００がこれらから各プログラム２０７ａ，２０７ｂを読み出して実行するようにしてもよい。
【００５９】
以上の各実施例を含む実施形態に関し、さらに以下の付記を開示する。
【００６０】
（付記１）患者と、該患者が行う治験についての治験薬の副作用の症状と、該副作用への対処方法とを関連付けて記憶する記憶部と、
ある患者の症状を受けつけると、前記記憶部に記憶されている該ある患者に関連付けられた治験薬の副作用の症状に合致する場合に、該ある患者に関連付けられた副作用への対処方法を前記記憶部から読み出して出力する制御部と
を有することを特徴とする治験情報出力装置。
【００６１】
（付記２）前記記憶部は、前記副作用の症状が患者に表れる期間を更に関連付けて記憶し、
前記制御部は、前記記憶部に記憶されている該ある患者に関連付けられた治験薬の副作用の症状に合致し、かつ、前記副作用の症状が患者に現れる期限を経過していない場合に、該ある患者に関連付けられた副作用への対処方法を前記記憶部から読み出して出力することを特徴とする付記１に記載の治験情報出力装置。
【００６２】
（付記３）前記制御部は、前記記憶部に記憶されている該ある患者に関連付けられた治験薬の副作用の症状に合致しない場合に、前記ある患者の症状を受け付け、前記ある患者の症状を指定の外部装置に出力することを特徴とする付記１または２に記載の治験情報出力装置。
【００６３】
（付記４）コンピュータが実行する治験情報出力方法であって、
患者と、該患者が行う治験についての治験薬の副作用の症状と、該副作用への対処方法とを関連付けて記憶する記憶装置を参照し、
ある患者の症状を受けつけると、前記記憶装置に記憶されている該ある患者に関連付けられた治験薬の副作用の症状に合致する場合に、該ある患者に関連付けられた副作用への対処方法を前記記憶装置から読み出して出力する
各処理を実行することを特徴とする治験情報出力方法。
【００６４】
（付記５）前記記憶装置は、前記副作用の症状が患者に表れる期間を更に関連付けて記憶し、前記出力する処理は、前記記憶装置に記憶されている該ある患者に関連付けられた治験薬の副作用の症状に合致し、かつ、前記副作用の症状が患者に現れる期限を経過していない場合に、該ある患者に関連付けられた副作用への対処方法を前記記憶装置から読み出して出力することを特徴とする付記４に記載の治験情報出力方法。
【００６５】
（付記６）前記出力する処理は、前記記憶装置に記憶されている該ある患者に関連付けられた治験薬の副作用の症状に合致しない場合に、前記ある患者の症状を受け付け、前記ある患者の症状を指定の外部装置に出力することを特徴とする付記４または５に記載の治験情報出力方法。
【００６６】
（付記７）コンピュータに、
患者と、該患者が行う治験についての治験薬の副作用の症状と、該副作用への対処方法とを関連付けて記憶する記憶装置を参照し、
ある患者の症状を受けつけると、前記記憶装置に記憶されている該ある患者に関連付けられた治験薬の副作用の症状に合致する場合に、該ある患者に関連付けられた副作用への対処方法を前記記憶装置から読み出して出力する
各処理を実行させることを特徴とする治験情報出力プログラム。
【００６７】
（付記８）前記記憶装置は、前記副作用の症状が患者に表れる期間を更に関連付けて記憶し、前記出力する処理は、前記記憶装置に記憶されている該ある患者に関連付けられた治験薬の副作用の症状に合致し、かつ、前記副作用の症状が患者に現れる期限を経過していない場合に、該ある患者に関連付けられた副作用への対処方法を前記記憶装置から読み出して出力することを特徴とする付記７に記載の治験情報出力プログラム。
【００６８】
（付記９）前記出力する処理は、前記記憶装置に記憶されている該ある患者に関連付けられた治験薬の副作用の症状に合致しない場合に、前記ある患者の症状を受け付け、前記ある患者の症状を指定の外部装置に出力することを特徴とする付記７または８に記載の治験情報出力プログラム。
【符号の説明】
【００６９】
１００  治験情報出力装置
１５２  第１出力部
１５３  第２出力部
【図１】
2014219945.tif 000003
【図２】
2014219945.tif 000004
【図３】
2014219945.tif 000005
【図４】
2014219945.tif 000006
【図５】
2014219945.tif 000007
【図６】
2014219945.tif 000008
【図７】
2014219945.tif 000009
【図８】
2014219945.tif 000010